(57)【特許請求の範囲】
【請求項１】
スマートフォンからの音声による自動車診断方法であって、
スマートフォンがクライアントソフトウェアをダウンロードし、ユーザーがスマートフォンのマイク又はクライアントソフトウェアをオンにして音声の入力を行うステップ１と、
前記クライアントソフトウェアが入力された前記音声を受信した後、音声内容を解析してコマンドを実行するステップ２と、
前記クライアントソフトウェアが、自動車に取り付けられた診断装置と通信を行うステップ３と、
前記クライアントソフトウェアが診断ソフトウェアを開き、また前記自動車からデータを収集して前記自動車に対して専門的なデータ分析を行うことで、診断結果を形成するステップ４と、
前記診断結果を前記クライアントソフトウェアに伝送して音声をユーザーに流し、同時に前記診断結果を保存するステップ５と、
を含み、
前記音声内容は、前記自動車の車両全体に対する検査である全車検査を実行する全車検査コマンドと、前記自動車に搭載されたシステムに対する検査である全システム診断を実行する全システム診断コマンドと、を含み、
前記音声内容が前記全システム診断コマンドの場合、前記スマートフォンは、バックグラウンド処理で前記診断装置との接続及び初期化を行い、前記自動車のＶＩＮコードを取得し、前記自動車に搭載された前記システムを起動する、
スマートフォンからの音声による自動車診断方法。
【請求項２】
前記音声内容が全車検査コマンドの場合、前記スマートフォンはバックグラウンド処理で前記システムとの接続及び初期化を行うことを特徴とする請求項１に記載のスマートフォンからの音声による自動車診断方法。
【請求項３】
前記診断装置が前記スマートフォン及び自動車と交互に通信して全車検査を行うことを特徴とする請求項１または２に記載のスマートフォンからの音声による自動車診断方法。
【請求項４】
前記診断結果をサーバーにアップロードすることと、車両所有者の前記スマートフォンに保存することと、音声で全車検査結果を流すことを特徴とする請求項１から３のいずれか１項に記載のスマートフォンからの音声による自動車診断方法。
【請求項５】
前記全システム診断に入り、実現可能な診断機能リストをスキャンし、選択又は音声選択を受信できることを特徴とする請求項１から４のいずれか１項に記載のスマートフォンからの音声による自動車診断方法。
【請求項６】
前記クライアントソフトウェアが、前記診断結果を表示すると共に音声で前記診断結果を流すことを特徴とする請求項１から５のいずれか１項に記載のスマートフォンからの音声による自動車診断方法。
【請求項７】
前記通信の方式は、ｗｉｆｉ、ブルートゥース（登録商標）及びシリアル通信とする請求項１から６のいずれか１項に記載のスマートフォンからの音声による自動車診断方法。
【請求項８】
前記診断ソフトウェアは、故障コードに対し専門的な解析を行うことができることを特徴とする請求項１から７のいずれか１項に記載のスマートフォンからの音声による自動車診断方法。
【発明の詳細な説明】
【技術分野】
【０００１】
[関連出願]
本出願は、２０１４年６月１１日に中国特許庁に出願された「スマートフォンから音声による自動車診断方法」という名称の中国特許出願第２０１４１０２５６７５７．７号の優先権を主張し、その出願内容全体は、参照により本明細書に組み込まれる。
【０００２】
本発明は、自動車技術分野に関し、特に、スマートフォンから音声による自動車診断方法に関する。
【背景技術】
【０００３】
自動車は、人々が最も熟知、最もよく見られる交通用具で、人々の生活において十分重要な働きをしている。自動車は、品質が異なり、型式も多様化されてきたにもかかわらず、使用の過程中、様々な故障が現れることを避けられず、それを直ちに解決或いは修理する必要がある。社会の発展及び科学技術の進歩につれ、自動車の設計及び製造も益々電子技術、自動化技術及びコンピュータ技術を採用している。一方、自動車の自動化程度は益々高くなり、性能がより一層優れ、操作がより一層便利で柔軟となり、もう一方として自動車の整備及び検査に対して更に高く要求されている。従来の手作業によるモニタリング及び修理方式では、すでに新型自動車の修理ニーズを満たすことができない。
【０００４】
自動車の自動制御技術の急速発展につれて、コンピュータで制御するシステムが益々多くなり、自動車の構造も益々複雑化し、自動車の故障診断も益々複雑になり、同時に自動車の状況及び安全性は人々が非常に関心を寄せる最も重要なことであり、益々多くの車両所有者及び自動車愛好家が更に車両自体へのメンテナンス及び日常点検整備を重視し、車両故障情報に対するリアルタイム理解及び把握を通じてより一層安全的、信頼的、経済的に自動車を使用、点検整備することを希望し、特に、車で遠方に出かける時、車両所有者が車両の状態に故障があるかどうかを自己検査して自分自身に安心させるよう希望する。自動車故障に専用するデコーダーが自動車整備工場、カーディーラーの専門修理設備に属し、コストが比較的高く且つ設備の体積が大きく、一般的な車両所有者及び自動車愛好家の使用及び持ち運びに不便である。自動車診断用の小型故障診断機自体の設計及び構造は、詳細な自動車診断情報を表示できないため、車両所有者及び自動車愛好家のリアルタイムで車両の運行状況を理解するニーズを満たすことができない。
【０００５】
スマートフォンは、操作性の良さ及びその強大な機能により、消費者の必需品となっている。スマートフォンは、パソコンで表示するものと一致する正常ウェブページを表示でき、独立したOS及び良好なユーザーインターフェースを有するため、非常に強い応用拡張性を持ち、アプリケーションプログラムを好きにしてインストール及び削除できる。
【０００６】
自動車の日増しに進歩及び規範につれて、自動車の検査診断制御システムにおいてスマートフォンによる診断は、すでに日増しに普及しているが、従来のスマートフォンによる診断の専門技術力がより優れている技術者のみが行うことができ、車両所有者及び自動車愛好家による利便かつ迅速なる車両の運行状況を理解しようとするニーズに不利となっていた。
【発明の概要】
【発明が解決しようとする課題】
【０００７】
そこで、本発明は、スマートフォンクライアントの音声入力方式を通じて全機能診断を行うことで、便利かつ迅速に各自車両の診断情報を理解できるスマートフォンから音声による自動車診断方法を提供することを目的とする。
【課題を解決するための手段】
【０００８】
上記目的を達成するため、本発明は、スマートフォンから音声による自動車診断方法を提供し、
スマートフォンがクライアントをダウンロードし、ユーザーがスマートフォンのマイク又はクライアントソフトウェアをオンにして音声の入力を行うステップ１と、
前記クライアントソフトウェアが入力された前記音声を受信した後、音声内容を解析してコマンドを実行するステップ２と、
前記クライアントソフトウェアが、自動車に取り付けられた診断装置と通信を行うステップ３と、
前記クライアントソフトウェアが診断ソフトウェアを開き、また前記自動車からデータを収集して前記自動車に対して専門的なデータ分析を行うことで、診断結果を形成するステップ４と、
前記診断結果を前記クライアントソフトウェアに伝送して音声をユーザーに流し、同時に前記診断結果を保存するステップ５と、
を含み、
前記音声内容は、前記自動車の車両全体に対する検査である全車検査を実行する全車検査コマンドと、前記自動車に搭載されたシステムに対する検査である全システム診断を実行する全システム診断コマンドと、を含み、
前記音声内容が前記全システム診断コマンドの場合、前記スマートフォンは、バックグラウンド処理で前記診断装置との接続及び初期化を行い、前記自動車のＶＩＮコードを取得し、前記自動車に搭載された前記システムを起動する。
【００１０】
前記音声内容が全車検査コマンドの場合、前記スマートフォンはバックグラウンド処理で前記システムとの接続及び初期化を行う。
【００１１】
前記診断装置が前記スマートフォン及び自動車と交互に通信して全車検査を行う。
【００１２】
前記診断結果をサーバーにアップロードすることと、車両所有者の前記スマートフォンに保存することと、音声で全車検査結果を流すことを実行する。
【００１４】
前記全システム診断に入り、実現可能な診断機能リストをスキャンし、選択又は音声選択を受信できる。
【００１５】
前記クライアントソフトウェアが診断結果を表示すると共に音声で該診断結果を流す。
【００１６】
前記コネクタは、深セン市元征軟件開発有限公司製の型番がｇｏｌｏ３／ｘ４３１Ｐｒｏのコネクタとする。
【００１７】
前記クライアントは、深セン市元征軟件開発有限公司製の型番がｇｏｌｏ３／ｘ４３１Ｐｒｏのクライアントとする。
【００１８】
前記診断ソフトウェアは、深セン市元征軟件開発有限公司製の型番がｇｏｌｏ３／ｘ４３１Ｐｒｏの診断ソフトウェアとする。診断ソフトウェアがｇｏｌｏ３／ｘ４３１Ｐｒｏクライアントを通じてダウンロードでき、全システム診断機能となる。
【００１９】
前記通信の方式は、ｗｉｆｉ、ブルートゥース（登録商標）及びシリアル通信とする。
【００２１】
前記診断ソフトウェアは、故障コードに対し専門的な解析を行うことができる。
【発明の効果】
【００２２】
本発明の有益な効果：本発明は、スマートフォンから音声による自動車診断方法を提供し、自動車上にコネクタを取り付けることで、スマートフォンがクライアントをダウンロードした後、ユーザーが音声を入力するだけで、手動操作の必要がなく、便利かつ迅速に全車検査を行うことができ、並びに自動車診断分析結果の専門的な流し及び解析を有し；専門技術者師の修正過程で使用する場合、同時に他の物事を処理でき、音声を入力するだけで、迅速に自動車ＶＩＮコードを取得して該車両の対応システムに入ることができ、専門的な技術機能を必要としないで、対応のシステムを見つけ出して全機能診断を行うことができ、迅速、便利かつ時間を節約する。
【００２３】
本発明の特徴及び技術内容を更に理解してもらうため、以下の本発明に関する詳細な説明及び添付図面を参照する。ただし、添付図面は参考及び説明のために使用されてあって、本発明を限定して解釈されるためのものではない。
【図面の簡単な説明】
【００２４】
以下、添付図面を組み合わせ、本発明の具体的実施形態の詳細な記述を通じて本発明の実施態様及びその他の有益な効果をより明確にさせる。
【図１】本発明のスマートフォンから音声による自動車診断方法のフローチャートである。
【図２】本発明のスマートフォンから音声による自動車診断方法の基本的な論理図である。
【発明を実施するための形態】
【００２５】
以下、本発明が用いる技術的手段及びその効果を更に説明するため、本発明の好適な実施例及びその添付図面を組み合わせて詳細な記述を行う。
【００２６】
図１及び図２を参照すると、図１は本発明のスマートフォンから音声による自動車診断方法のフローチャートで、図２が本発明のスマートフォンから音声による自動車診断方法の基本的な論理図である。本発明は、スマートフォンから音声による自動車診断方法を提供し、以下のステップを含む。
【００２７】
ステップ１：自動車上に取り付けられるコネクタを提供し、スマートフォンがクライアントをダウンロードし、ユーザーがスマートフォンのマイク又はクライアントをオンにして音声入力を行う。
【００２８】
前記コネクタは、深セン市元征軟件開発有限公司製の型番がｇｏｌｏ３／ｘ４３１Ｐｒｏのコネクタとする。
【００２９】
前記クライアントは、深セン市元征軟件開発有限公司製の型番がｇｏｌｏ３／ｘ４３１Ｐｒｏのクライアントとする。
【００３０】
ステップ２：クライアントが前記入力された音声を受信した後、音声内容を解析してコマンドを実行する。
【００３１】
前記音声内容は、全車検査コマンドと全システム診断コマンドとを含む。
【００３２】
ステップ３：クライアントソフトウェアは、自動的に自動車上に取り付けられたコネクタと通信を行う。
【００３３】
前記通信方式は、ｗｉｆｉ、ブルートゥース（登録商標）及びシリアル通信とする。
【００３４】
ステップ４：クライアントが診断ソフトウェアを開き、また自動車からデータを収集して自動車に対して専門的なデータ分析を行うことで、診断結果を形成する。
【００３５】
前記診断ソフトウェアは、深セン市元征軟件開発有限公司製の型番がｇｏｌｏ３／ｘ４３１Ｐｒｏの診断ソフトウェアとする。診断ソフトウェアがｇｏｌｏ３／ｘ４３１Ｐｒｏクライアントを通じてダウンロードでき、全システム診断機能となり、２００種余りのモデルをカバーし、例えばＥＯＢＤ２／ＢＭＷ／ＢＥＮＺ／ＶＷ等である。
【００３６】
ステップ５：前記診断結果をクライアントに伝送して音声をユーザーに流し、同時に該診断結果を保存する。
【００３７】
前記音声は、何度も繰り返すことができる。
【００３８】
前記診断ソフトウェアは、故障コードに対し専門的な解析を行うことができる。
【００３９】
ステップ２において前記音声内容が全車検査コマンドの場合、ステップ３に進んだ後、スマートフォンバックグラウンドは接続及び初期化を起動し；ステップ４に進んだ後、コネクタがスマートフォン、自動車と交互に全車検査を行い；ステップ５に進んだ後、前記診断結果をサーバーにアップロードして車両所有者のスマートフォンに保存し、音声で全車検査結果を流す。これから分かるように、ユーザーが全車に対し検査を行う時、スマートフォンのマイク或いは深セン市元征軟件開発有限公司製の型番がｇｏｌｏ３／ｘ４３１Ｐｒｏのクライアントをオンにし、音声で「全車検査」を入力するだけで、設備及びスマートフォンが自動的に準備作業を行うと共に全車検査を行うことができ、検査結果を音声で流し、同時に診断分析結果を保存する。
【００４０】
ステップ２において前記音声内容が全システム診断コマンドの場合、ステップ３に進んだ後、スマートフォンバックグラウンドは接続及び初期化を起動し、自動的にＶＩＮコードを取得し；ステップ４に進んだ後、自動的に全システム診断に入り、実現可能な診断機能リストをスキャンし、選択又は音声選択を受信でき；ステップ５に進んだ後、スマートフォンのクライアントが診断結果を表示すると共に音声で該診断結果を流す。これから分かるように、専門技術者が修正する時、音声を通じて診断ソフトウェアを起動すると、システムが専門技術者のためにＶＩＮコードを自動スキャンし、自動的に該車両のシステムを起動することができる。専門技術者は手動で診断を行うことができ、音声による診断、故障コードの読み込み、データストリームの読み込み、動作テストを行うこともできる。
【産業上の利用可能性】
【００４１】
上述の詳細な説明を取りまとめると、本発明は、スマートフォンから音声による自動車診断方法を提供し、自動車上にコネクタを取り付けることで、スマートフォンがクライアントをダウンロードした後、ユーザーが音声を入力するだけで、手動操作の必要がなく、便利かつ迅速に全車検査を行うことができ、並びに自動車診断分析結果の専門的な流し及び解析を有し；専門技術者師の修正過程で使用する場合、同時に他の物事を処理でき、音声を入力するだけで、迅速に自動車ＶＩＮコードを取得して該車両の対応システムに入ることができ、専門的な技術機能を必要としないで、対応のシステムを見つけ出して全機能診断を行うことができ、迅速、便利かつ時間を節約する。
【００４２】
以上に述べたことは、本発明の属する技術の分野における通常の知識を有する者が本発明の技術的手段と技術思想に基づいて様々な変更や変形を加えることができることは勿論である。これら変更や変形は本発明の特許請求の範囲の保護範囲に属する。
【図１】
0006342581.tif 000002
【図２】
0006342581.tif 000003